(57)【特許請求の範囲】
【請求項１】
装着物を取り付けるための背板と、
突っ張り装置と、
曲げの力に対して局部的に曲がる性質を持つ支持面受け板と、
を備え、
前記背板の一端に前記突っ張り装置を取り付けて突っ張り背板を形成し、
この突っ張り背板の両端または一端の突っ張り面に前記支持面受け板を張り出して取り付け、
支持面間を前記突っ張り装置で突っ張るとともに、前記支持面受け板を前記支持面に接合させ、
地震に際して、前記背板に取り付けられた前記装着物に働く水平地震力により前記突っ張り背板がたわんでその端部が傾いたとき、前記支持面受け板の一部は前記支持面から剥がれても、前記支持面受け板が局部的に曲がるため、それ以外の部分が前記支持面との接合を保ち、その接合面のせん断抵抗力により転倒を防止することを特徴とする耐震壁面ユニット
【請求項２】
前記耐震壁面ユニットに突っ張り部材Ｂを加え、
前記背板の前記突っ張り装置を取り付けていない方の一端に取り付ける前記支持面受け板を、前記突っ張り部材Ｂの突っ張り面に張り出して取り付けた前記支持面受け板に代え、前記背板と前記突っ張り部材Ｂとの接続を、一方の部材に設けた突起を他方の部材の凹みに挿入することで行うことを特徴とする請求項１記載の耐震壁面ユニット
【請求項３】
突っ張り部材Ａと、
これに、その一端が接続された１本以上の長ネジＡと、
この長ネジＡに対応するナットＡと、
前記長ネジＡに通された、バネと、このバネの自由高よりも短い筒と、
を備え、
前記背板の小口には前記長ネジＡを挿入するための孔Ａを設け、
前記長ネジＡのもう一端は、前記孔Ａに出入り可動に差し込まれ、
前記ナットＡと前記背板とで前記バネと前記筒が挟まれ、
前記バネと前記筒は一方が他方を包むように重なり合い、
前記筒は前記バネが前記筒の長さまで縮んだときに必要な反発力が得られる長さとし、
前記ナットＡを回転し前記バネを圧縮して前記突っ張り部材Ａを突っ張る際に、前記ナットＡの移動を前記筒に接触したところで止めることにより、突っ張り力を必要な一定値に制限することのできる制限機能付き突っ張り装置を形成し、
前記突っ張り装置が前記制限機能付き突っ張り装置であることを特徴とする請求項１または２記載の耐震壁面ユニット
【請求項４】
前記支持面受け板と前記支持面との接合には、
後から剥がせる両面テープＡと後から剥がせる両面テープＢと紙とを用い、
前記後から剥がせる両面テープＡと前記後から剥がせる両面テープＢとのそれぞれの片面で前記紙の両面を接着して挟み、
前記後から剥がせる両面テープＡの他方の面で前記支持面受け板を、前記後から剥がせる両面テープＢの他方の面で前記支持面を、それぞれ接着させ、
一方、取り外しの際、前記支持面受け板を前記支持面から剥がすときには、前記紙に水を浸み込ませることで、
前記支持面受け板と前記後から剥がせる両面テープＡ、および、前記支持面と前記後から剥がせる両面テープＢ、との接着面は剥がれずに、
前記紙が破れることにより、前記支持面受け板と前記支持面とが分離することを特徴とする請求項１または２または３記載の耐震壁面ユニット
【請求項５】
前記突っ張り部材Ａまたは前記突っ張り部材Ｂまたは前記背板の突っ張り面への
前記支持面受け板の取り付けが、
ヒンジを介した取り付けであることを特徴とする請求項１または２または３または４記載の耐震壁面ユニット
【請求項６】
前記装着物を取り付けるためのネジの効く連続穴を、前記背板に設けたことを特徴とする請求項１または２または３または４または５記載の耐震壁面ユニット
【請求項７】
前記耐震壁面ユニットに家具転倒防止器具を加え、
前記背板と家具とを前記家具転倒防止器具を介して連結する、または、
前記背板に取り付けた前記家具転倒防止器具で家具を押さえることにより、
請求項１または２または３または４または５または６記載の耐震壁面ユニットを、家具類の転倒防止のために使用することを特徴とする家具類の転倒防止装置
【請求項８】
前記背板に固定する手段を有する固定部材と、
その下に家具類の上面を押さえる押さえ部材と、
この両部材の間に設けた突っ張り手段と、
を備え、
前記背板に固定した前記固定部材を足場にして突っ張り、前記押さえ部材を家具類の上面に押し付ける突っ張り固定具を形成し、
前記家具転倒防止器具が前記突っ張り固定具であることを特徴とする請求項７記載の家具類の転倒防止装置
【発明の詳細な説明】
【技術分野】
【０００１】  本発明は、壁面等に本箱や棚等を取り付けることを可能にする耐震性の高い耐震壁面ユニット、および、その特性を活用し、地震時に家具類の転倒を防止する家具類の転倒防止装置に関するものである。
【背景技術】
【０００２】  家具には、大きく分けて置き家具と造り付け家具がある。置き家具は、床面を占有し、必ず床から上に伸びる形状となる。これに対し造り付け家具は、必ずしも床を占有せずに、上部の壁面空間を利用することができるため、部屋を広く感じさせ、自由で有効な空間設計ができる。しかし、造り付け家具の設置は手軽にできるものではなく、新築やリフォームの際に設けるのが一般的で、したがって、一度設置したら簡単には変更できない。【０００３】  造り付け家具のように壁面を活用するために、以下のような製品や考案がある。
突っ張り装置を市販のツーバイフォー木材に取り付けて突っ張り柱とし、これを壁際に設置して、これに棚等を取り付けるディアウォールの名称で市販されている製品がある。この場合、転倒を抑止しているのは、天井や床と装置の突っ張り部材との摩擦力であり、地震による転倒を考慮すると、あまり重いものを取り付けるのには適さない。また、この点に配慮し、突っ張り棒の脚をＬ型にして転倒の防止を図ったラックなどが市販されている。【０００４】  下記特許文献１には、板を突っ張りと大きな底板で支えて、そこに壁掛けテレビや仏壇などの重量のある家具類も取り付けることができる転倒防止用壁面ラックが開示されている。また、下記特許文献２には、底板がない代わりに、突っ張りと壁へのネジ留めで支える、薄型テレビ装着用壁面ユニットが開示されている。
このように、重量物にも対応し、かつ、薄さと安全性を確保しようとする従来の家具類取り付け型の壁面ユニットでは、地震時の転倒防止には不十分である摩擦力を補うため、脚をＬ型にしたり、壁にネジで留めたりするなどの対策を必要としている。【０００５】  また、このように物を取り付けるための部材を壁に設けるのではなく、下記特許文献３に開示された、石膏ボード等の壁にステープラー針を打ち込んで留める吊り下げ具を用いて、直接壁に箱や棚を設置する製品が市販されている。しかし、比較的重いものを載せた場合、大きな地震の際に働く、特に水平方向の力に抗して、これを壁に保持することは難しい。【０００６】  摩擦力やネジ、ステープラー針の他にも、室内部材との接合手段としては、強粘着性ゲルなどの粘着力も用いられている。粘着力といえば両面粘着テープというのも有力な選択肢と考えられるが、粘着テープの場合、剥がすときに壁紙等への悪影響が懸念される。
その点を考慮した製品として、テープの中間層が破れて２枚に分かれ、壁紙を傷めずに剥がすことができる「はがせる両面テープ壁紙用」という名称の製品があるが、主にポスターを貼ったりするための、軽いものを留めることを目的としたものである。【０００７】  一方、地震に際して、上記のように自身が安全な家具であることとともに、既存家具を転倒から守ることも防災上の重要な課題である。地震時の家具転倒対策の必要性については注意が喚起されて久しく、様々な装置が提供されているが、危険を承知しながらも対策をしていないケースが多いと言われている。【０００８】  既存家具に対する後付の転倒対策としては、鴨居と家具を鎖でつないだり、家具と天井の間を突っ張り棒で突っ張ったりする装置などがある。下記特許文献４には、家具上面と天井との間に、突っ張り機能のある箱を設置して転倒を防ぐ収納庫が開示されている。しかし、突っ張ることのできる高さの範囲が限られる。
【先行技術文献】
【特許文献】
【０００９】
【特許文献１】特開２０１１−２１８０３８号公報（転倒防止用壁面ラック）
【特許文献２】特開２００６−６０７５４号公報（薄型テレビ装着用壁面ユニット）
【特許文献３】特開２００６−２２９１０号公報（固定部の構造、および吊り下げ具）
【特許文献４】特開２００１−４６１６６号公報（突っ張り・組立型タンス上収納庫）
【発明の概要】
【発明が解決しようとする課題】
【０００１０】  前述のツーバイフォー木材に突っ張り装置を取り付けた突っ張り柱は、突っ張り力により生じる、天井や床と装置の突っ張り面との間の摩擦力により転倒を防止しており、重いものを設置するのには適さない。重いものを設置した場合、平常時は大丈夫でも、地震時には摩擦力では不十分となる恐れがある。また、天井板が取り付けられている野縁は、通常突っ張り力を受けることを想定しておらず、それほど強い材が用いられているわけではない。このため、摩擦力を得ようとして突っ張りすぎると、野縁がたわんで室内部材を傷めたり、野縁が塑性変形を起こして突っ張り力が減衰したりする恐れがある。
また、重い物の収納を想定したものとして、突っ張り棒の脚がＬ型になったラックでは、それらの部材が出っ張り、部屋の自由な利用の妨げとなる。【００１１】  特許文献１の転倒防止用壁面ラックでは、転倒を防止するために大きな底板ないしボックスがあり、家具類を壁面に取り付けることの本来のメリットである、部屋をすっきり広く見せる効果や床スペースの自由な利用が妨げられる。
また、背板のスリットを介したボルト等による被支持体の固定では、背板の裏からボルトやナットを締める必要があるため、被支持体の位置を変えたりする場合には、ラックを壁からいったん取り外して取り付け直さなければならない。【００１２】  特許文献２の薄型テレビ装着用壁面ユニットは、Ｌ型の脚や底板などはなく、かつテレビの重量にも耐えるものであるが、代わりに壁へのネジ留めが必要である。ボードアンカーなどの補助部材の設置も必要となるため、壁を傷付けるとともに、単なるネジ留め以上の手間と技術を要する作業が必要となる。【００１３】  特許文献３の固定部の構造、および吊り下げ具は、ステープラー針で留めるフックであり、これを用いて箱や棚を壁の自由な位置に比較的手軽に取り付けることができる。しかし、まとまった量の本など重いものを設置するためには相当の本数のステープラー針を打ち込む必要がある。また、ステープラー針は重力に対して有利な向きに打ち込まれているが、地震時に働く水平力には余り有利とはいえない。また、その打ち込みの手間とともに、目立たないとはいえ、壁に孔がたくさん開くため、試行錯誤や模様替えのために設置位置を変えることには抵抗感がある。【００１４】  転倒防止のための室内部材との接合手段としては、比較的簡便な両面粘着テープという選択肢があるが、強い接着力というメリットを求めると、逆に取り外しの際に、大きな力が必要となったり、多くの場合存在する壁紙が破れたりする等のデメリットが生じる。
「はがせる両面テープ壁紙用」という製品は、テープの中間層であるウレタンフォームが破れて２枚に分かれ、壁紙を傷めずに剥がすことができる。しかし、軽いものを留めるためのもので、このウレタンフォームはせん断力に対してそれほど強くはない。
また、粘着力を用いた場合、設置に際しての位置の微調整は難しくなる。【００１５】  前述のように、耐震性の確保が本発明における主要な問題意識の一つであるが、地震から身を守るためには、家具自身の耐震性とともに、他の家具の転倒を防止することも重要な発明課題となり得る。
既存家具に対する転倒対策としては、最もオーソドックスなものとしてネジの効く鴨居などの室内部材と家具とを鎖等でつなぐという方法があるが、室内部材と家具にネジを打つ必要がある。また、地震の揺れにより家具がガタガタと動き、その衝撃でネジ等が抜けるリスクがある。
家具と天井の間に設置する突っ張り棒型の装置は、ガタガタと動く不安定な家具の天板を足場としており、地震の揺れにより外れる恐れがある。また、うっかり天井の野縁のないところに設置してしまった場合、地震時には天井板である石膏ボードが破壊してしまうこともある。
Ｌ型金具で壁と家具を連結させる場合には、多くの場合ネジは壁の間柱に打ち込む必要があり、この間柱の位置と家具を留めるべき位置とが一致するとは限らず補助部材を設けるなどの対策が必要となる。【００１６】  特許文献４の突っ張り・組立型タンス上収納庫は、単純な突っ張り棒のように外れる心配もなく、ネジも使わず、上述の問題を解決できるが、突っ張ることのできる高さが限られるため、家具上面から天井までの距離が大き過ぎたり、逆に小さ過ぎたりすると使うことができない。また、幅や奥行、デザインなどがマッチしないこともある。【００１７】  本発明は、上記のような従来技術の問題点に鑑みて、重い物にも対応し、薄さと耐震性を確保しながら、かつ、そのために、強い突っ張りやＬ型脚などの大きな出っ張り、室内部材へのネジ留めなどを必要とせず、また、好ましくは、手軽に設置でき、賃貸住宅でも使用でき、さらに、棚や箱を好みの位置に手軽に取り付けることのできる、自由度の高い壁面活用に資する耐震壁面ユニットを提供することを目的とする。
また、この耐震壁面ユニットの特性を活用して、地震の揺れで外れることなく、どのような高さの家具にも対応でき、好ましくは、家具に傷をつけない、やはり自由度の高い家具類の転倒防止装置を提供することを目的とする。
【課題を解決するための手段】
【００１８】  本発明は、前記課題を解決するため、以下の構成を採用した。
本発明の耐震壁面ユニットは、装着物を取り付けるための背板と、突っ張り装置と、曲げの力に対して局部的に曲がる性質を持つ支持面受け板とを備える。ここで、背板の一端に突っ張り装置を取り付けて突っ張り背板とし、この突っ張り背板の両端または一端の突っ張り面に支持面受け板を張り出すようにして取り付ける。そして、支持面間を突っ張り装置で突っ張るとともに、支持面受け板を支持面に接合させて設置する。地震に際して、背板に取り付けられた装着物に水平地震力が働くと突っ張り背板はたわんでその端部は傾く。そのとき、支持面受け板の一部、つまり突っ張り面、もしくは、突っ張り面とその周辺は支持面から剥がれる。しかし、支持面受け板が局部的に曲がることにより、支持面受け板のそれ以外の残りの部分が支持面との接合を保つ。その残された接合面のせん断抵抗力が水平地震力に対抗するため、耐震壁面ユニットの転倒を防止することができる。【００１９】  奥行きのある通常の家具では、水平地震力が働いても、家具底面の手前側の角が支点となり回転して倒れようとする。このため、家具の奥側の天板を、天井に突っ張るなどして下向きに押さえつけることで、転倒を防ぐことができる。本耐震壁面ユニットの場合は奥行きがなく、このような回転にはならないため、水平地震力に対して水平方向の力、すなわち支持面受け板と支持面との接合部のせん断抵抗力で対抗する。
また、本耐震壁面ユニットは支持面に突っ張って設置するが、地震時には、突っ張りによる摩擦力には頼らない。大きな水平地震力が働きユニットが変形し、支持面受け板が曲がって、突っ張り面の摩擦力が失われても、支持面受け板の一部は支持面との接合を保つため、その接合面のせん断抵抗力は確保される。【００２０】  支持面受け板は突っ張り背板の両端に取り付けることが好ましいが、それを「両端または一端」としているのは、例えば、天井と床とを支持面とし、装着物の重量に比べて十分な重さの家具の裏側に設置する場合など、その家具が突っ張り背板下端の地震による移動を抑える働きをし、床に対する支持面受け板は必ずしも必要ない場合もあるためである。
また、支持面受け板の取り付けが一端のみの場合、突っ張り背板のどちらの端かということも限定していない。これは、突っ張り背板は突っ張り装置の側を上にして設置するのが好ましいが、上下逆さにして設置することも可能であり、支持面受け板を省略できない天井側の一端が、突っ張り背板のどちらの端にもなり得るからである。【００２１】  ここにいう支持面受け板の支持面への「接合」とは、面と面とが接して接続していることをいい、接合面に平行方向にずれ動こうとする力に対して必要な抵抗力、つまりせん断抵抗力が得られる接続をいう。例えば、両面粘着テープによる接着や、接着剤による接着、あるいは、ピンによる打ち付けなどによる方法がある。ただし、本発明の目的に反し室内部材を大きく傷つけ、また、多くの場合天井板として用いられている石膏ボードには使えないネジ留めは除くものとする。
また、「支持面」とは、天井や床、壁あるいは梁など、本耐震壁面ユニットの突っ張り面からの突っ張り力、および、支持面受け板からのせん断力を受け止めることのできる室内部材、その他固定部材をいう。
また、「局部的に曲がる」とは、曲げの力が働いた時に、部材全体が反るのではなく、部材の一部分のみが曲がり、その他の部分は変形しないことをいう。
また、「装着物」とは、背板に装着する物をいい、箱や棚（そこに収納する物を含む）はもとより、薄型テレビや小型家具などもアダプタを用いるなどして取り付けることができれば装着物になり得る。背板に取り付けることのできるものが装着物である。【００２２】  また、耐震壁面ユニットを希望の位置に、正確かつ容易に設置できるようにするため、次の構成とすることが好ましい。
上記の耐震壁面ユニットに突っ張り部材Ｂを加え、背板の突っ張り装置を取り付けていない方の一端に取り付ける支持面受け板を、突っ張り部材Ｂの突っ張り面に張り出して取り付けた支持面受け板に代え、背板と突っ張り部材Ｂとの接続を、一方の部材に設けた突起を他方の部材の凹みに挿入することで行う。【００２３】  大きなユニットを一度に設置するのではなく、ユニットを、突っ張り部材Ｂに支持面受け板を取り付けた小さな部分と、突っ張り背板に支持面受け板を取り付けた大きな部分の２つに分けて設置する。まず、小さな部分の方の支持面受け板を、支持面の希望の位置に正確に接合してから、大きな部分をこれに接続するので、全体を一度に設置するよりも正確で容易に設置できる。また、その接続は一方の突起を他方の凹みに挿入するだけなので容易である。耐震壁面ユニットは支持面間を突っ張っているので、挿入しただけの接続でも外れることはない。【００２４】  また、必要以上に突っ張ることを防ぐため、突っ張り装置を次の構成の制限機能付き突っ張り装置とすることが好ましい。
制限機能付き突っ張り装置は、突っ張り部材Ａと、これにその一端が接続された１本以上の長ネジＡと、この長ネジＡに対応するナットＡと、長ネジＡに通されたバネと、同じく長ネジＡに通されたこのバネの自由高よりも短い筒とを備える。また、背板の小口には長ネジＡを挿入するための孔Ａを設ける。長ネジＡのもう一端は、孔Ａに出入り可動に差し込まれ、ナットＡと背板とでバネと筒が挟まれ、バネと筒は一方が他方を包むように重なり合い、筒はバネが筒の長さまで縮んだときに必要な反発力が得られる長さとし、ナットＡを回転しバネを圧縮して突っ張り部材Ａを突っ張る際に、ナットＡの移動を筒に接触したところで止めることにより、突っ張り力を必要な一定値に制限することのできる制限機能付き突っ張り装置を形成する。耐震壁面ユニットの突っ張り装置をこの制限機能付き突っ張り装置とすることで、耐震壁面ユニットの設置に際し必要以上に突っ張ることを防止できる。なお、ナットＡ、バネ、筒、孔Ａは、それぞれ長ネジＡに対応する部材等であり、それらの個数は長ネジＡの本数と同じである。【００２５】  直接ナットで突っ張る装置では、どこまで突っ張るべきか判断が難しく、仮に強く突っ張りすぎて長期間の突っ張りで天井等の支持面が塑性変形を起こしたり、あるいは、ナットがゆるんだりすると、突っ張り力が急激に減少してしまう。
バネの圧縮を介して突っ張ることで、仮に天井等が多少変形したりナットがゆるんだりした場合にも、バネが伸びて突っ張り力が大きく減少することを防ぐことができる。さらに、上記の筒の長さをバネがこの筒の長さまで縮んだときに必要な反発力が得られる長さとしておけば、突っ張り用のナットＡの移動をこの筒の端で止めることにより、バネによる突っ張り力を必要な一定の値に制限することができる。どこまでばねを圧縮すればよいかが一目瞭然なので、必要以上にナットＡを締めて天井等を傷めることを防止することができる。【００２６】  また、簡便で支持面を傷つけることを極力防ぐ接合手段として、次の構成を採用することが好ましい。
支持面受け板と支持面との接合には、後から剥がせる両面テープＡと後から剥がせる両面テープＢと紙とを用い、後から剥がせる両面テープＡと後から剥がせる両面テープＢとのそれぞれの片面で紙の両面を接着して挟み、後から剥がせる両面テープＡの他方の面で支持面受け板を、後から剥がせる両面テープＢの他方の面で支持面を、それぞれ接着させる。
一方、取り外しの際、支持面受け板を支持面から剥がすときには、紙に水を浸み込ませることで紙がふやけ、支持面受け板と後から剥がせる両面テープＡ、および、支持面と後から剥がせる両面テープＢ、との接着面は剥がれずに、紙が破れることにより、支持面受け板と支持面とを分離させることができる。
「後から剥がせる両面テープ」とは、剥がすときに被着体に糊残りしにくく、再剥離性に優れた両面粘着テープのことをいう。【００２７】  広い面が粘着剤で貼りついた支持面受け板を剥がそうとした場合、支持面受け板はある程度曲がるとはいえ、支持面受け板を接着面に対して垂直に近い方向に面的に引っ張ることになる。このため、支持面受け板の接着面を剥がすには大きな力が必要となる。このような剥がし方では、特に、支持面に例えば壁紙が貼ってある場合、壁紙と下地との接着力よりも、壁紙と支持面受け板との接着力の方が強いと、壁紙が下地から剥がれたり破れたりすることがある。
これを防ぐため、前述のように支持面と支持面受け板とを接合する２枚の両面粘着テープの間に紙を挟み込む。一般に紙は強いせん断抵抗力がある一方、紙面に対して垂直に近い方向の力には弱い。特に、紙が水を含んだ場合には、さらに容易に破れる。取り外しの際は、この紙に水を浸み込ませることで、この紙が容易に真っ先に破れるため、大きな力を必要とせず支持面受け板を剥がすことができるとともに、壁紙への悪影響を防ぐこともできる。【００２８】  また、支持面受け板と突っ張り部材や背板との取り付けを、次の構成とすることもできる。
突っ張り部材Ａまたは突っ張り部材Ｂまたは背板の突っ張り面への支持面受け板の取り付けを、ヒンジを介した取り付けとする。
地震により耐震壁面ユニットがたわみ、突っ張り部材や背板が傾いたとき、そこに取り付ける支持面受け板との角度の変化を吸収し、支持面受け板の支持面への接合を確保するため、両者の取り付けにヒンジを用いる。これにより、角度変化を支持面受け板が局部的に曲がることで吸収して支持面受け板の一部が剥がれてしまう場合よりも、支持面受け板の面積を小さくすることができる。【００２９】  また、背板に装着物を手軽に取り付けられるよう、次の構成とすることが好ましい。
装着物を取り付けるためのネジの効く連続穴を背板に設ける。
装着物側にも背板の連続穴の一部に重なり合う配置の、ネジ軸を通すための穴を設けておき、この穴に通したネジを、好みの位置の背板の連続穴に留める。装着物側ではなく背板の連続穴の方を、ネジが効くようにすることで、前面からねじを締め付けることができ、装着物を背板に容易に設置できるようになる。【００３０】  さらに、他の家具の転倒を防止するため、耐震壁面ユニットを活用して、次のように家具類の転倒防止装置を構成した。
耐震壁面ユニットに家具転倒防止器具を加え、背板と家具とを家具転倒防止器具を介して連結する、または、背板に取り付けた家具転倒防止器具で家具を押さえることにより、耐震壁面ユニットを、家具の転倒防止のために使用することで、家具類の転倒防止装置とすることができる。
耐震壁面ユニットには耐震性があり、これを家具等の例えば裏側に設置し、家具転倒防止器具、例えばＬ型金具等で背板と家具とを連結などして家具を固定する。これにより、耐震壁面ユニットを、家具の転倒防止というもう一つの用途の装置として活用することが可能となる。
「家具転倒防止器具」とは、その器具により壁等（ここでは耐震壁面ユニットの背板）と家具とを連結したり、壁等に固定したその器具により家具を押さえたりして、家具の転倒を防止するための器具をいう。例えば、Ｌ型金具や鎖などをいう。【００３１】  また、家具を傷つけずに固定できるよう、家具転倒防止器具を次の構成の突っ張り固定具とすることが好ましい。
背板に固定する手段を有する固定部材と、その下に家具類の上面を押さえる押さえ部材と、この両部材の間に設けた突っ張り手段とを備え、背板に固定した固定部材を足場にして突っ張り、押さえ部材を家具類の上面に押し付ける突っ張り固定具を形成する。前述の家具転倒防止器具として、この突っ張り固定具を用いることで、家具をネジ等で傷をつけることなく、しっかり固定できる家具類の転倒防止装置とすることができる。
【発明の効果】
【００３２】  従来の突っ張り棒等を用いた製品は、支持面との摩擦力で姿勢を保っている。摩擦力を大きくするためには、強く突っ張るか、摩擦係数の大きな部材を用いるかしなければならず、突っ張り面積を増やしても摩擦力は増えない。しかし、天井の強度や部材の摩擦係数には限界がある。
そのため、特に地震時の転倒を考慮すると、そこに掛けたり載せたりするものは比較的軽いものに限られていた。もしくは、重いものを載せたりした場合には、安全性に問題があり、安全性を確保しようとすれば、Ｌ型の脚や壁へのネジ留め等が必要であった。【００３３】  それに対し本発明では、地震時に転倒を防止するのは、支持面受け板の支持面との接合部のせん断抵抗力である。通常の突っ張り棒と同様の突っ張り面の摩擦力は、主に平常時の転倒防止を受け持ち、地震時には、これに頼る必要はない。
このせん断抵抗力は、支持面受け板の接合面積に比例するため、支持面受け板の面積を増やすことで、より重い物、より強い地震によって発生するより大きな力にも対抗することができる。【００３４】  よって、地震に対抗するための大きな摩擦力は必要なく、強く突っ張る必要もない。そのため、必要以上の突っ張りによる長期にわたる圧力で、天井の際野縁がたわんで壁と天井との壁紙の境目が破れたり、際野縁が塑性変形を起こして突っ張り力が失われたりするようなリスクはほとんどない。
また、地震時の背板のたわみによる背板と支持面受け板との角度の変化を吸収するのに、従来の突っ張り棒製品にあるようなヒンジを用いることもできるが、部品数も増え複雑な構成となる。本発明では、支持面受け板に局部的に曲がる性質を持たせることにより、シンプルで低コストの構成となっている。【００３５】  本発明の耐震壁面ユニットによれば、その設置のために室内部材に対してネジを用いることなく、各部材は壁や天井、床に添ってほとんど出っ張りがなく、邪魔にならない形状であり、それでいて、背板に取り付けた重い装着物に働く地震力にも耐えることができる。
ネジの効かない石膏ボードやコンクリートの壁などの上に本耐震壁面ユニットを設置すれば、背板という部分的な壁や間柱ができるようなものである。あるいは、背板に例えば大きな合板等を取り付けて、文字通り新たな疑似壁面を作ることもできる。これにより、ネジ留めを前提とする種々の方法が使えるようになる。
特に、従来の突っ張り式ラック等に不足していた耐震性があるため、用途が大きく広がる。つまり、この背板や疑似壁面に、本格的な造り付け家具のように、これまで諦めていた本棚や薄型テレビなども、レイアウトして取り付けることができるようになる。また、例えば物干し竿受けを取り付ければ、大量の洗濯物が干せる部屋干し場を生み出すこともできる。【００３６】  しかも、造り付け家具と違い、気に入らなかったら、やり直したり、ものが増えてきたら追加したりもできる。ちょっとした壁スペースなども有効に利用でき、例えば、床から天井までの２０〜３０ｃｍ幅の壁があれば、本耐震壁面ユニット１本を使って単行本を平積みすると、１００冊程度収納できる。
そして、本耐震壁面ユニットは、薄く出っ張らない形状であるため、例えばタンス等の裏にも設置できる。そのため、本耐震壁面ユニットを使えば、これら家具の上の壁スペースも飾り棚や収納スペースとして利用できるようになる。
１本から初めて徐々に増やしていってもよく、必要とあれば、部屋に残されているほとんどの壁面の活用が可能である。【００３７】  通常の箱状の置き型家具は床を占有し、また大きな側板があり、これが床と空間を大きく区切り、部屋を狭く感じさせる要因になっている。この点を軽減しようと脚をはかせた家具もあるが、あまり高い脚をはかせることは難しいし、やはり脚は何かと邪魔なものである。しかし、本耐震壁面ユニットでは、床から例えば数十センチ、もしくは、もっと高い位置に装着物を浮かせて設置し、床スペースを空けることで、部屋を広く感じさせ、脚がないので例えば掃除もしやすくなる。また、側板のない棚はもちろんのこと、箱状の装着物でも例えばチドリ状に配置するなど、大きな側面を作らないようにすることで、従来の家具のような空間を大きく占有する圧迫感を軽減し、変化に富んだデザイン性の高い空間を演出できる。【００３８】  なお、請求項２の構成によれば、耐震壁面ユニットを正確な位置に容易に設置することが可能となる。すべてを一体化した耐震壁面ユニットは、高さがあり、ある程度の重量もあるため、希望の位置に正確に設置するのはなかなか難しい。ユニットを大小２つの部分に分ければ、小さい方を正確な位置に設置するのは容易である。そこで、先にこの小さい方を設置してから、これに大きい方を接続するようにする。また、この両者、背板と突っ張り部材Ｂとの接続も、一方の部材に設けた突起を他方の部材の凹みに挿入するだけで、工具もいらず容易である。両部材は重力や突っ張り力で密着するため、地震に際しても抜けることはない。これにより、正確で容易なユニットの設置が可能となる。
なお、ユニット両端の支持面受け板に、支持面への接合手段として例えば両面粘着テープを貼ったような場合には、設置に際して支持面受け板がうっかり天井や床などに一度触れたら、その位置を修正することは難しく、大きなユニットを希望の位置に設置することは、さらに困難である。特にこのようなケースでは、請求項２の構成によることに、より大きなメリットがある。【００３９】  なお、請求項３の制限機能付き突っ張り装置を用いれば、どこまでナットを締めればいいか誰にでもはっきり分かり、必要以上に突っ張って天井等を傷める心配がない。また、仮に突っ張りがゆるんだ場合には、ナットと筒との間に隙間ができるため、ゆるんだことが容易に認識でき、これに対処することで、突っ張り力を適切に管理できる。また、この筒がないと、例えばユニットを縦に据えた場合なら、上向きの地震力が働いたときにバネが圧縮されてユニット全体が床から浮いてしまうことが考えられるが、この筒がそれを防ぐ働きもする。【００４０】  なお、請求項４の構成によれば、支持面受け板の支持面への接合手段として、簡便で、支持面が石膏ボードでもコンクリートでも材質にほとんど左右されずに接合できる両面粘着テープを用いながら、強い接着力と取り外しの容易さとを同時に確保し、また、支持面に壁紙が貼ってある場合の取り外しにおいても、壁紙を傷めるリスクを大幅に低減できる。これにより、賃貸住宅等における利用も可能となる。【００４１】  前述の市販の「はがせる両面テープ壁紙用」を凸凹のある壁紙に貼り、せん断力をかける実験をしたところ、壁紙への接着面は剥がれずに、中間層であるウレタンフォームが破れ、粘着剤が持つせん断接着力が最大限まで活かされなかった。
本発明では、２枚の後から剥がせる両面テープの間に紙を挟むが、テープのせん断接着力を最大限活かすため、それよりも強いせん断抵抗力を持つ紙を選ぶことができ、さらに、水が浸み込みやすく、水を含むと容易に破れる性質も併せ持つ紙を選ぶことができる。また、両面テープについても、市販の種々の後から剥がせる両面テープの中から、支持面や支持面受け板の状態に適した、できるだけ大きなせん断接着力が得られる両面テープをそれぞれ選択することができる。
上記のように最適な後から剥がせる両面テープＡ・Ｂと最適な紙とを選んで組み合わせることで、状況に応じて最も効果的に、ユニットの耐震性と壁紙を傷めにくい容易な取り外しとの両立を図ることができる。【００４２】  なお、請求項５に記載の構成によれば、支持面受け板の面積を、請求項１の構成による場合よりも小さくすることができる。
請求項１の構成では、地震により耐震壁面ユニットがたわみ、突っ張り部材や背板が傾いたとき、この部材の傾きを支持面受け板が局部的に曲がることにより吸収していたが、その場合、支持面受け板の一部が支持面から剥がれることになる。そのため、支持面受け板の剥がれを見込んで、それでも地震力に耐えられるよう、面積を確保する必要がある。これに対し、請求項５の構成では、ヒンジを用いて両者の角度の変化を吸収することにより、地震時の支持面受け板の剥がれを防ぎ、支持面受け板の面積をより小さくすることができる。【００４３】  なお、請求項６に記載の構成によれば、ネジの効く穴を装着物側にではなく背板側に設けることにより、連続したその穴に対応した配置の穴を持つ装着物を、手軽に手前から、好みの位置にネジで留めることができる。また、ネジを背板の裏から締めるのではないため、装着物の位置を変えたり追加したりする際にも、耐震壁面ユニットを取り外す必要がない。
また、装着物にこの穴さえ設ければ、自作のオリジナル装着物も比較的簡単に作成でき、各自の創造性を発揮したインテリアや収納を工夫することができるようになる。例えば市販のプラスティックケースなども、この穴を開ければ装着物になり得る。【００４４】  また、耐震性能があり、かつ、タンスなどの家具の裏側に設置できる耐震壁面ユニットの特性を活かし、このユニットをより所として請求項７記載の構成とすれば、家具類の転倒を防止するという新たな機能を持つ家具類の転倒防止装置として活用することができる。
背板と家具を連結したりする家具転倒防止器具の取付け高さ（縦方向の位置）や耐震壁面ユニットの設置位置（横方向の位置）が自由になるため、家具転倒防止器具を最も適切な位置に設置することができるようになる。これにより、がたつきが起きにくい、より確実性の高い家具類の転倒防止が可能となる。【００４５】  つまり、天井と家具上面を突っ張る方式の装置のように、家具の高さが低くて使えないなどということはなく、突っ張り固定具が設置可能な上限高さよりも低い家具ならどのような高さの家具も、家具転倒防止器具により家具上面を直近でしっかり固定することができる。また、従来のように家具転倒防止器具を取り付ける間柱の既定の位置に制約されることなく、耐震壁面ユニットの方を、家具を抑えるべき適切な位置に設置することができる。
そして、家具転倒防止のついでに、その家具上部の壁空間を活用することもできる。あるいは、家具上部の壁空間を活用したついでに、その家具の転倒防止ができるといってもいい。家具上部の壁空間を有効活用できるようになることがもう一つの動機づけとなり、家具転倒対策が普及促進される。【００４６】  なお、請求項８記載の構成によれば、上記の特徴に加え、家具に対してネジを使わず、突っ張り力で押さえるため、家具を傷つけずにしっかり固定できる。また、請求項７記載の構成で家具を留めようとした場合、例えばＬ型金具を取り付ける耐震壁面ユニットをネジの効く家具側板の位置に設置すべき場合があるが、ユニットの幅があるため、家具を部屋の隅にぴったりつけることが難しいこともある。しかし、本突っ張り固定具によれば、押さえ部材で家具天板を上から比較的広い面で押圧するので、その設置は必ずしも側板の位置でなくても構わない。そのため、部屋の隅の家具に対して設置する場合にも支障はないし、背板に棚等を取り付ける場合の、その使い勝手などに応じて、ユニットの設置位置を比較的自由に選ぶことができる。【００４７】  必要と分かってはいても家具の転倒対策が思うように進まないのは、間柱を探してネジを打つことの難しさや、壁や家具に傷がつくことに対する抵抗感、家具転倒対策製品の適用条件から外れて使えないケースがあること、あるいは、それら製品の性能を信頼しきれないことなどの問題点が考えられる。
本発明の家具類の転倒防止装置によれば、間柱の代わりに背板を必要な位置に設置することができ、装置ががたついて外れるようなリスクが低いため信頼性が高い。特に、請求項４および７記載の構成によれば、室内部材や家具を傷つけるリスクが小さく、家具の高さだけでなく接合対象である室内部材の材質についても適用範囲が広いなど、これらの問題点をほぼ克服している。したがって、賃貸住宅のためこれまで家具転倒対策が非常に困難であったようなケースにも対応することができる。また、前述のように、ついでに家具上部の壁空間の活用も可能であり、家具の地震転倒対策の新しい有力な選択肢となり得る。
【図面の簡単な説明】
【００４８】
【図１】（ａ）本発明の一実施形態による耐震壁面ユニットの全体を示す斜視図  （ｂ）本発明の突っ張り固定具を用いた家具類の転倒防止装置の一実施形態による家具固定の全体を示す斜視図
【図２】本発明の実施形態による耐震壁面ユニットの全体を示す斜視図で、（ａ）最小の構成要素による一実施形態  （ｂ）図２（ａ）に床側の支持面受け板を付加した一実施形態
【図３】接続用長ネジにより突っ張り部材Ｂと背板とを接続する様子を示した一部斜視図
【図４】図２（ａ）に突っ張り部材Ｂを用いて支持面受け板を取り付けた耐震壁面ユニットの全体を示す斜視図
【図５】支持面受け板の状態を例示する一部側面図で、（ａ）水平地震力が働いていないとき  （ｂ）想定される水平地震力が働いたとき  （ｃ）想定の倍の水平地震力が働いたとき
【図６】背板の装着物に水平地震力が働き、背板がたわんだ状態を示す全体側面図
【図７】制限機能付突っ張り装置を示す図で、（ａ）正面図  （ｂ）側面断面図  （ｃ）バネと筒の関係等を詳細に示す一部拡大側面断面図
【図８】紙を挟んだ２枚の後から剥がせる両面テープによる支持面受け板の接合方法を示す一部拡大断面図
【図９】摩擦部材とピンによる支持面受け板の接合方法を示す一部拡大断面図
【図１０】支持面受け板と突っ張り部材Ａとをヒンジで接続した一実施形態を示す図で、（ａ）正面図  （ｂ）側面図
【図１１】図５（ｃ）と同様の大きな地震力が働いた時の支持面受け板Ａ・Ｂの状態を示す一部側面図
【図１２】背板の継ぎ足し構造を示す一部正面断面図
【図１３】背板の継ぎ足し用の長ネジＢを回すための回転操作部材を示す一部拡大斜視図
【図１４】背板の継ぎ足しをした耐震壁面ユニットの全体を示す斜視図
【図１５】（ａ）背板端部カバーを示す一部斜視図  （ｂ）背板端部巻き付けを示す一部斜視図
【図１６】連続穴を用いない背板への箱の取付け事例を示す一部斜視図
【図１７】（ａ）連続穴を用いた背板への箱の取付け事例を示す一部斜視図  （ｂ）図１７（ａ）の事例の側面断面図
【図１８】（ａ）連続穴を用いた背板への棚の取付け事例を示す一部斜視図  （ｂ）図１８（ａ）の事例の側面断面図
【図１９】木ネジを打つための部材を用いた背板への棚受けの取付け事例を示す一部斜視図
【図２０】背板に市販の棚柱を取り付けた事例を示す一部斜視図
【図２１】（ａ）一実施形態による背板と装着物の間に設置した被覆材を示す一部斜視図  （ｂ）図２１（ａ）の実施形態の側面断面図
【図２２】本発明のその他の実施形態による耐震壁面ユニットの全体を示す斜視図で、（ａ）図１（ａ）よりも背板の幅を小さくし、長ネジＡを１本にした一実施形態  （ｂ）図２２（ａ）よりもさらに背板幅を小さくし連続穴を一列にした一実施形態  （ｃ）Ｉ型断面として壁から離して設置できる一実施形態
【図２３】背板の表裏両側に張り出した支持面受け板の状態を例示する一部側面図で、（ａ）想定される水平地震力が働いたとき  （ｂ）想定の倍の水平地震力が働いたとき
【図２４】（ａ）Ｌ型金具を用いた家具類の転倒防止装置の一実施形態による家具固定の全体を示す斜視図  （ｂ）Ｌ型金具による家具固定を示す一部拡大斜視図
【図２５】（ａ）一実施形態による突っ張り固定具を用いた家具固定を示す一部斜視図  （ｂ）図２５（ａ）の実施形態の正面断面図  （ｃ）図２５（ａ）の実施形態の側面断面図
【図２６】小型家具を背板に取り付けた事例を示す斜視図
【図２７】（ａ）連続穴を用いず固定部材を背板に固定する突っ張り固定具の一実施形態を示す斜視図  （ｂ）二列の連続穴を用いて固定部材を背板に固定する突っ張り固定具の一実施形態を示す斜視図
【図２８】（ａ）Ｉ型断面の耐震壁面ユニットを用いた家具類の転倒防止装置で、冷蔵庫の側面をも固定した一実施形態を示す斜視図  （ｂ）Ｌ型断面の耐震壁面ユニットを用いた家具類の転倒防止装置で、冷蔵庫を固定した一実施形態を示す斜視図
【図２９】突っ張り固定具に接着板を付加した一実施形態を示す斜視図
【図３０】Ｔ型断面の耐震壁面ユニットを用いた家具類の転倒防止装置で、並んだスチールキャビネットを固定した一実施形態を示す斜視図で、（ａ）突っ張り部材Ａが背板と平行関係の家具類の転倒防止装置  （ｂ）突っ張り部材Ａが背板と直行関係の家具類の転倒防止装置
【図３１】複数の耐震壁面ユニットにより壁面を面的に活用した事例を示す斜視図
【発明を実施するための形態】
【００４９】  まず、本発明の好ましい一つの実施形態の概要を図１によって説明する。
図１（ａ）は本発明の耐震壁面ユニットを壁に添わせて設置する場合の、好ましい一つの実施形態の斜視図である。本耐震壁面ユニット３ｅを壁に添わせておおむね垂直に据え、連続穴３６を設けた背板４ｂの上端に取り付けた制限機能付き突っ張り装置５ｂで突っ張るとともに、上端の突っ張り部材Ａ６ａに取り付けた支持面受け板７Ａａと下端の突っ張り部材Ｂ８ａに取り付けた支持面受け板７Ｂｂとを、それぞれ天井１と床２に例えば両面粘着テープで接着させる。
【００５０】  背板４ｂの連続穴３６を用いて種々の装着物を好みの位置に小ネジで取り付けることができる。装着物には、地震の際、水平地震力が働く。ここではユニット全体の断面は縦長のコの字状となっているが、このように背板を壁に添わせて設置する場合には、壁側への水平地震力は壁が受け止めてくれるため、部屋側への水平地震力に対抗できるよう支持面受け板は部屋側にのみ張り出した形でかまわない。
また、壁に平行方向の水平地震力に対しても、突っ張り部材Ａ６ａ、突っ張り部材Ｂ８ａに幅を持たせることで、棒ではなく面として両支持面にしっかり固定され、ユニットが傾いたり、外れたりすることを防ぐ。
【００５１】  図１（ｂ）は、本発明の家具類の転倒防止装置の一実施形態による家具固定の全体を示す斜視図である。耐震壁面ユニット３ｇに突っ張り固定具４４ａを装着して、地震時に家具４２ｂが転倒しないよう家具天板を突っ張って押さえる。
このような場合における突っ張り部材Ａ６ｂと突っ張り部材Ｂ８ｃの幅についてであるが、そもそも図のような幅のある家具が、壁に平行方向の水平地震力で左右に大きく傾いたりずれ動いたりすることはほぼなく、また、２本のユニットの２つの突っ張り固定具４４ａと２つの突っ張り部材Ａ６ｂ、および、２つの突っ張り固定具４４ａと２つの突っ張り部材Ｂ８ｃが、２つの大きな面を形づくって家具を固定しているため、それぞれの突っ張り部材Ａ６ｂや突っ張り部材Ｂ８ｃの幅は比較的小さくてもよい。
【００５２】  以下、本発明の実施形態を図２以下の添付図面にしたがって説明する。
図２（ａ）は、背板４ａと突っ張り装置５ａと天井側の支持面受け板７Ａａのみという最少の構成要素による一実施形態である耐震壁面ユニット３ａの斜視図である。重い物を装着せず、かつ、重量のある家具の裏側に設置するときなどには、このような形態でもよい場合がある。
ちなみに、この耐震壁面ユニット３ａから支持面受け板７Ａａを除いたもの、つまり、背板４ａに突っ張り装置５ａを取り付けたものが、突っ張り背板である。
また、図２（ｂ）は、図２（ａ）の耐震壁面ユニット３ａの背板４ａ下端に支持面受け板７Ｂａを取り付けた一実施形態である耐震壁面ユニット３ｂの斜視図である。このように、突っ張り部材Ｂ８ａを用いずに支持面受け板７Ｂａを直接背板に取り付けることも可能である。
【００５３】  ただ、前述のように、突っ張り部材Ｂ８ａを用いて幅を持たせた方が安定するし、耐震壁面ユニットの設置方法として、図３に示すように、支持面受け板７Ｂｂを取り付けた突っ張り部材Ｂ８ａを希望の床２位置に例えば両面粘着テープで取り付けてから、一体化したその他の部材をこれに接続するようにした方が設置作業が容易になる。
背板４ａの下端に取り付けた接続用長ネジ９を背板４ａから突き出させておく。一方、突っ張り部材Ｂ８ａには、この突き出た接続用長ネジ９がすっぽり入る受け穴１０ａを開けておき、あらかじめ設置した突っ張り部材Ｂ８ａの受け穴１０ａに背板４ａ下端の接続用長ネジ９を差し込んでセットする。その後、図４に示すように、耐震壁面ユニット３ｃがおおむね垂直になるよう調整しながら突っ張り装置５ａで突っ張り、支持面受け板７Ａａを天井１に例えば両面粘着テープで接着する。背板４ａと突っ張り部材Ｂ８ａとの接続部には、ユニットの自重や突っ張り力などが働くため、接続用長ネジ９は受け穴１０ａに差し込んだだけでも抜けるようなことはない。
なお、逆に、突っ張り部材Ｂ８ａに接続用長ネジを突き出させ、背板４ａ下端に受け穴を設けてもよい。
【００５４】  平常時には図５（ａ）に示すように背板４ａはほぼ垂直に保たれ、支持面受け板７Ａａは天井１に全面が例えば両面粘着テープにより接着している。ちなみに、平常時なら仮に支持面受け板７Ａａがなくても突っ張り部材Ａ６ａの突っ張り面のみの摩擦力やせん断接着力だけでも倒れることはない。しかし、図６に示すように、地震により装着物１１に矢印で示す水平地震力が働いた場合には背板４ａがたわみ、図５（ｂ）に示すように突っ張り部材Ａ６ａが傾き突っ張り面が天井１から剥がれる。このとき、支持面受け板７Ａａが曲がることにより剥がれることのない接着面のせん断接着力が水平地震力を引き受けることになる。図５（ｂ）には、耐震基準によって想定される水平地震力が働いた場合の状態を例示している。
【００５５】  支持面受け板７Ａａには、曲げの力が働いた場合に全体が反るような部材ではなく、一部分のみが曲がる部材を用いる。前者の場合には、突っ張り部材Ａ６ａによる曲げの力が支持面受け板７Ａａ全体に伝わり板全体が変形し、支持面受け板７Ａａのほぼ全面が支持面から剥がれてしまうためである。また、例えば想定の倍の大きさの地震力でさらに背板４ａがたわんで縮み、突っ張り部材Ａ６ａが天井から離れ、図５（ｃ）のように支持面受け板７Ａａが大きく変形したとしても座屈しない強度が望ましい。このため支持面受け板には、局部的に曲がる性質とともに、座屈しない強度を持たせた例えばポリプロピレン等の合成樹脂板が適している。
また、突っ張り部材Ａ・Ｂや背板への支持面受け板の取り付けには、大きなせん断力に耐えられるよう例えば木ネジを用いるとよい。
ただし、同じ震度でも、水平地震力は装着物の想定重量で変わるし、同じ水平地震力でも、背板の断面形状やヤング率、装着物の設置位置などによってもたわみ量や突っ張り部材の傾き量が変わるので、図５（ｂ）（ｃ）はあくまで一つの例示である。
なお、図５（ｃ）のような状態は好ましいものではなく、ユニットのたわみを抑えるため、背板４ａや長ネジＡ１２はヤング率のできるだけ大きな材質のものを用いる方がよい。
【００５６】  なお、図６の床側の支持面受け板７Ｂｂについても、地震時には図５（ｂ）と同様の現象が起きるが、床側は天井側と違い突っ張り部材Ｂ８ａは、傾きはしてもユニットや装着物の自重により図５（ｃ）のような形で支持面である床２から離れることはない。このため、床側の支持面受け板７Ｂｂは天井側よりも座屈しにくいため、天井側の支持面受け板７Ａａよりも薄くしても同等の地震力に耐えられる。よって床側の支持面受け板７Ｂｂは、その上に絨毯を敷いたり家具を置いたりする場合の段差も考慮して、天井側より薄くするとよい。部屋の利用のためにほとんど支障とならない薄さとすることができる。
【００５７】  天井側については、図２に示すような単純な突っ張り装置５ａでもいいが、図７（ａ）（ｂ）に示すような制限機能付き突っ張り装置５ｂを用いると、必要以上に突っ張るのを防ぐことができる。支持面受け板７Ａａを取り付けた突っ張り部材Ａ６ａに接続させた例えば２本の突っ張り用の長ネジＡ１２に、図７（ｃ）に拡大して示すように、ナットＡ１３、その下にバネ１４、バネ１４の自由高よりも短い筒１５を通す。この筒１５の長さは、筒１５の長さまでバネ１４が縮んで必要な一定の突っ張り力を発生させる長さとし、バネ１４を包むようにセットする。この長ネジＡ１２を、背板４ａ上側小口に開けた長ネジＡ１２の径よりも若干太く、長ネジＡ１２が上下可動となる孔Ａ１６に差し込む。図７（ｃ）の状態からナットＡ１３を、バネ１４を圧縮しながら筒１５に接するまで下げれば、バネ１４の適切な一定の反発力で天井１に突っ張ることができる。ちなみに、大きな力で突っ張る必要はないため、ナットＡ１３は工具を使ったり、ナットＡ１３を蝶ナットにしたりしなくても、容易に手で回すことができる。なお、筒１５はバネ１４に包まれるように、バネ１４の内側にセットされる形でもよい。
あるいは、バネを密着するまで縮めたときに、必要な突っ張り力となるバネを用いることにより、筒が不要な構成としてもよい。このようなバネなら、筒がなくても、どこまで圧縮すべきかが分かるし、バネはすでに密着していてそれ以上縮まないので、上向きの地震力でユニットが浮き上がることもない。
【００５８】  支持面受け板の支持面への接合方法については、例えばしっかり固まる接着剤などでもよいが、その取扱いやすさや移設・撤去を考慮すると後から剥がせる両面テープが適している。後から剥がせるテープでも、接着面に平行方向の力に対しては必要な抵抗力（せん断接着力）を発揮する。例えばフローリング等のテープが貼りつき易い比較的平滑な支持面であれば、通常の薄い後から剥がせる両面テープがよい。
【００５９】  一方、天井には凸凹のある壁紙等が使われていることが多く、通常の粘着テープでは壁紙との接触が凸部のみとなり十分な接着力が得られないことがある。このような場合には、テープの基材としてスポンジ等を用いた両面粘着テープを使用すれば、ある程度凸凹に馴染んで密着度が上がり、せん断接着力が向上する。この場合、木片の角等を使って、強い力で支持面受け板を押さえつけ、スポンジ等の基材が凸凹に合わせて変形し、粘着剤が凹部にも入り込むようにすることが大切である。さらに密着度を上げたければ、いつまでも固まることがなく、後から剥がすことのできる弾性粘着剤を用いてもよい。
【００６０】  ただし、壁紙への密着度や接着力を上げることで、逆に、支持面受け板を支持面から剥がす際、大きな力が必要となったり、支持面に貼ってある壁紙が下地から剥がれたり破れたりする恐れがある。
対策として、２枚の後から剥がせる両面テープの間に紙を挟んだもので、支持面受け板と支持面とを接着させる。支持面である天井等に凸凹のある壁紙が貼ってある場合であれば、例えば、図８に示すような組み合わせの実施形態が考えられる。支持面受け板７Ａａに、まず通常の薄い後から剥がせる両面テープＡ１７を、その上に水を吸い込みやすい半紙１９を、さらにその上に凸凹面への密着性に優れた例えばスポンジ基材の後から剥がせる両面テープＢ１８をそれぞれ貼り、これを天井１の壁紙２０ａ面に接着させる。取り外す際、図８の左側に示すように、天井１から支持面受け板７Ａａをめくるように剥がすとき、挟んだ半紙１９の小口に水を含ませてからめくると、容易に紙が破れ始める。一度破れ始めれば、引き続き比較的容易に紙が破れていくが、さらに水を加えれば、一層破れやすくなり、容易に支持面受け板７Ａａを剥がすことができる。
【００６１】  このように支持面受け板７Ａａを剥がすと、天井１には後から剥がせる両面テープＢ１８が残る。この残ったテープは１本ずつ１８０°に近い方向に引っ張れば、壁紙２０ａが下地から剥がれたり破れたりすることはほぼなく剥がすことができる。また、支持面受け板７Ａａを剥がすときには、スクレーバー等を用いてめくるように剥がすとよい。
なお、支持面に貼ってある壁紙の表面が平坦な場合には、後から剥がせる両面テープＢは、後から剥がせる両面テープＡ１７と同様の通常の薄いテープで構わない。
また、床がフローリングで、天井が凸凹表面の場合、床は天井よりも粘着テープの貼りつきがよく、より大きなせん断接着応力が得られるため、支持面受け板の接合に粘着テープを用いる場合には、床側の支持面受け板７Ｂｂは天井側に比べて面積を小さくしてもよい。
【００６２】  支持面受け板の支持面への接合方法としてはこの他にも、例えば強粘着性のゲルを用いてもよいし、さらには、近年注目されているバイオミメティクスによるヤモリの足の原理を利用したテープが実用化され使えるようになれば、着脱も一層容易になり、使い勝手を向上させることができる。
室内部材を傷つけにくいこれらの接合方法を選択することで、自己所有の住宅はもとより、賃貸住宅等においても利用することができる。
【００６３】  また、支持面受け板と支持面との接合には、図９に示すように、支持面にいくつかの小さな穴が開くが、支持面受け板７Ａａを支持面にピン２１で留めたり、加えて、例えば大きな摩擦力の生じるギザギザ断面のゴムやシリコーンのシートなどの摩擦部材２２を支持面受け板７Ａａの支持面に接する側の面に接着させたりするという方法もある。ピン２１は図９のように、例えば背板が倒れようとする矢印の方向寄りに斜めに打ち込むことで、水平地震力が働いたときに、支持面受け板７Ａａが支持面に押しつけられるため、ピン２１自身の支持力に加え、摩擦部材２２と壁紙２０ｂとの摩擦力が増大する。また、ピンの代わりにステープラー針を用いてもよい。
【００６４】  また、支持面受け板と突っ張り部材等との取り付けを、ヒンジを介して行うことで、支持面受け板の支持面からの剥がれをなくし、支持面受け板の面積を小さくすることができる。
図１０（ａ）（ｂ）に示すように、支持面受け板７Ａｂの突起部に開けた穴と突っ張り部材Ａ６ａに取り付けたヒンジ軸受け２３の穴とに軸２４を通して、ヒンジで両部材を接続する。
ただし、部品数が増えるなどのデメリットもある。また、耐震壁面ユニットを垂直に据えたときの床側には、ユニットの自重や装着物の重量も載ってくるため、相応の強度も必要となり、重い物を装着する場合に、床側にこの方式を採用するのはあまり得策ではない。
【００６５】  また、支持面受け板の面積を小さくするには、次のような方法もある。支持面受け板７Ａａを、図１１に示すように支持面（天井１）に接合させるための板と、地震時の変形に対応して曲がる板との組み合わせに代える。２枚に重ねた支持面受け板のうち、上側の支持面受け板Ａ２５が支持面に接合する方を受け持ち、下側の支持面受け板Ｂ２６が曲がる方を受け持つ。支持面受け板Ｂ２６の水平地震力が働いても曲がることのない部分を、支持面受け板Ａ２５に地震時のせん断力にも耐えられる強力な接着剤やネジ等の方法で接続させる。図５（ａ）（ｂ）のように支持面受け板が１枚の場合は、支持面受け板７Ａａが曲がった時には支持面から一部剥がれて接合面積が減少するが、支持面受け板Ａ・Ｂの組み合わせとした場合は、地震時にも支持面受け板Ａ２５と支持面との接合面積が減少することがないため、支持面受け板Ａ・Ｂの張り出し面積を小さくすることができる。
【００６６】  高さの異なる天井に対して、突っ張り装置によってある程度高さの調節はできるが、長ネジＡ１２をあまり伸ばしすぎると耐震強度に不安が生じる。
これには、単純にいくつかの長さの背板を用意し、天井高に適したものを選ぶようにしてもよいが、背板を低めの天井に合わせて短めにしておき、ある程度以上天井が高い場合には図１２のように背板４ａ下側に背板継ぎ足し用部材２７ａ、２７ｂ、２７ｃ等を加えて高さを調節してもよい。
【００６７】  その場合、背板４ａ下側の小口に背板継ぎ足し用の長ネジＢ２８を差し込むための、この長ネジとほぼ同径の例えば２つの深い孔Ｂ２９を開け、このそれぞれの孔Ｂ２９の入り口に、例えば鬼目ナット等の埋め込みナット３０を取り付ける。それぞれの孔Ｂ２９に長ネジＢ２８を途中までねじ込み、後から背板継ぎ足し用部材２７ａ、２７ｂ、２７ｃ等を差し込むように長ネジＢ２８を突き出させておく。
【００６８】  長いネジを埋め込みナット３０を介して挿入するためにはネジを何回も回転させなければならないが、図１３に示すように、長ネジＢ２８の端部にこのネジに対して直角方向に孔を開け、ピン状の回転操作部材３１を挿入して、これに指を当て回転させるか、回転操作部材３１に作った輪っかに棒等を差し込んで回転させれば、比較的容易に長ネジＢ２８を背板４ａに挿入できる。もしくは、長ネジＢ２８を電動ドリルのチャックでつかんで回転させれば、より簡単に挿入できる。
【００６９】  背板４ａと同じ断面の部材を短く切り、継ぎ足し方向に孔Ｂ２９と同様に２つの貫通孔を開けた背板継ぎ足し用部材２７ａ、２７ｂ、２７ｃ等のその貫通穴に、先ほど背板４ａから突き出させておいた２本の長ネジＢ２８を通す。必要な高さ分の背板継ぎ足し用部材を通し、そこから突き出させた長ネジＢ２８をナットＢ３２で締め付けて背板継ぎ足し用部材２７ａ、２７ｂ、２７ｃ等と背板４ａとを一体化する。
背板継ぎ足し用部材は例えば３ｃｍ、６ｃｍ、１２ｃｍ等継ぎ足し長さの異なるいくつかの部材を用意し、それらの組み合わせで必要な継ぎ足し長さに調節する。
【００７０】  このとき、長ネジＢ２８をナットＢ３２から少し突き出させ、図１２に示すように突っ張り部材Ｂ８ｂには突き出した長ネジＢ２８およびナットＢ３２が収まる受け穴１０ｂを設けて、これらをはめ込む。
これにより、図１４に示すように、耐震壁面ユニット３ｄは、その薄さを損なわずに、天井高の異なる部屋に設置することが可能となる。
なお、背板４ａを例えば木材とした場合、長ネジ挿入用の孔Ｂ２９には背板継ぎ足し長さとほぼ同等以上の長さの長ネジＢ２８を背板４ａに挿入し、地震力が働いたときに背板４ａの背板継ぎ足し用部材２７ａとの境目、つまり背板４ａの端部に致命的破壊が起きないようにする。
【００７１】  これとは反対側の長ネジＡ１２を挿入する孔Ａ１６については、想定を上回るほどの大きな地震の際には、その入り口付近に大きな力がかかり、損傷する可能性がある。孔Ａ１６への長ネジＡ１２の挿入長さを十分にとっていれば、完全に壊れて背板４ａが倒れるようなことはないと考えられるが、この背板４ａの破損を防ぐ、または、軽減する方法として、図１５（ａ）に示すように背板４ａの小口付近を例えば金属の背板端部カバー３３で覆ったり、図１５（ｂ）に示すように引っ張りに強い粘着テープ等による背板端部巻き付け３４を施したりして補強してもよい。
【００７２】  図１６に示すように、背板４ａに木ネジ３５ａを使って例えば箱を好みの位置に取り付ければ、造り付け家具のような箱１１ａになる。
しかし、図１（ａ）のように、背板に例えば２列の等間隔の連続穴３６を設ければ、図１７、図１８あるいは図３１に示すように、種々の装着物をもっと手軽に取り付けることができるようになる。連続穴３６をネジの効くものにするためには、図１７（ｂ）に示すように、小ネジ３７ａを受ける例えば鬼目ナット等の埋め込みナット３８を取り付けてもよく、もしくは、連続穴３６の径を小ネジ３７ａの径よりも一回り小さくすることで、穴自体をネジの効く穴にしてもよい。
【００７３】  装着物の設置事例としては、例えば以下のようなものが考えられる。
図１７（ａ）（ｂ）に示すのは、装着物である箱の背板の側に、連続穴３６の２箇所以上に重なるようにネジ軸を通す穴を開け、小ネジ３７ａで背板４ｂの連続穴３６に取り付けた箱１１ｂである。
図１８（ａ）（ｂ）に示すのは、棚板の前面小口に小ネジ頭が入る孔３９を貫通する少し手前まで開け、残りをおよそ小ネジ軸径の孔で貫通させ、小ネジ３７ｂで背板４ｂに取り付けた、前面から取り付けられて棚受け等のない棚１１ｃである。
【００７４】  その他のバリエーションとして、より重い物を載せる棚には、例えば図１９に示す市販の棚受け１１ｄのような製品を利用することができる。背板に直接木ネジを打ってもいいし、背板４ｂを木ネジで傷つけたくなければ図１９にあるように、木ネジを打つための部材４０を、連続穴３６を使って小ネジ３７ｃで背板４ｂに取り付け、この部材に棚受け１１ｄを木ネジ３５ｂで取り付けるという方法もある。その上に棚板を載せればより丈夫な棚になる。
また、図２０に示すような一般に棚柱１１ｅといわれる製品を、木ネジ３５ｃで例えば背板４ｃに取り付ければ、この棚柱１１ｅの利点を生かした棚作りができる。
【００７５】  また、図２１（ａ）（ｂ）に示すように、例えば布の被覆材４１で背板４ｂ等を覆い隠し、その上から例えば箱１１ｂ等の装着物を小ネジで背板４ｂに取り付ければ、布等の面を背景に装着物が浮いているようにすっきりさせることができる。被覆材４１としては、布以外にも市販の壁紙や障子紙、あるいは薄手の化粧板などでもよい。これらの素材や色柄を変えることで、部屋の雰囲気をがらりと変えることができる。
【００７６】  耐震壁面ユニットの実施形態はこの他にもいろいろと考えられる。
例えば、図２２（ａ）は図１（ａ）よりも背板の幅を小さくして、突っ張り用の長ネジＡ１２を１本にした耐震壁面ユニット３ｆ、図２２（ｂ）はさらに背板幅を小さくし連続穴を一列にし、突っ張り部材Ａ・Ｂの幅も小さくした耐震壁面ユニット３ｇ、図２２（ｃ）は天井側および床側の支持面受け板７Ａｃ・７Ｂｃを背板の表裏両側に張り出させてＩ型断面とし、表裏両方向への背板のたわみに対応することで、壁に添わせずにパーティション的な利用を可能とした耐震壁面ユニット３ｈである。
必要であれば、背板の幅を小さくしても厚さを少し増やしたり、また、長ネジＡ１２を２本から１本に減らしても径を少し太くしたりすれば、同等のたわみにくさを得ることができる。これら種々の部材の組み合わせで、この他にも様々な耐震壁面ユニットが可能である。
さらには、背板の幅をずっと大きくした壁のような背板に、複数の突っ張り装置と、天井と床に複数の支持面受け板を設け、背板そのものをより壁に近い疑似壁面としてもよい。また、本耐震壁面ユニットを、上下逆さにして突っ張り装置を床側に設けたり、あまり重い物を背板に装着しない場合には、壁と壁との間に突っ張って横向きに設置したりすることも可能である。
【００７７】  図２３は、図２２（ｃ）のＩ型断面耐震壁面ユニット３ｈが水平地震力を受けたときの天井側の支持面受け板７Ａｂの状態を示した側面図である。このように支持面受け板７Ａｂが背板４ｂの表裏両側に張り出している場合には、支持面受け板７Ａｂを突っ張り部材Ａ６ａの突っ張り面に全体的には接続せずに、側面から見て突っ張り面の中央を木ネジで接続するとよい。これにより、図２３（ａ）（ｂ）に示すように、背板４ｂが傾いたのとは反対側の支持面受け板７Ａｂの天井１からの剥がれを小さく抑えることができる。
図２３（ａ）は想定される水平地震力が働いたときの、図２３（ｂ）は想定の倍の水平地震力が働いたときの支持面受け板７Ａｂの変形状態を例示している。これらが例示であるのは、図５（ｂ）（ｃ）の場合と同様である。
【００７８】  本発明の耐震壁面ユニットを使って他の家具を固定するには、例えば図２４（ａ）に示すように、家具４２ａのネジが効く側板の位置に耐震壁面ユニット３ｉを設置し、図２４（ｂ）に示すように、例えばＬ型金具４３と木ネジ３５ｄを用いて、背板４ｃと家具４２ａとを連結してもよい。このように耐震壁面ユニットにＬ型金具４３等の家具転倒防止器具をあわせて用いることで、家具類の転倒防止装置とし、壁にネジを打つことなく家具の転倒を防止することができる。
【００７９】  家具転倒防止器具の一つとして、図２５（ａ）に示すような突っ張り固定具４４ａを用いてもよい。図２５（ｂ）（ｃ）に示すように、固定部材４５ａを背板４ｄの連続穴３６に小ネジ３７ｄで、家具４２ｂ天板上方の、突っ張り固定具４４ａが適切に収まる位置にしっかり取り付ける。この固定部材４５ａに開けた固定具長ネジ４７が上下可動となる固定具孔４８に、固定具長ネジ４７を上から通して、固定具長ネジ４７の下端から例えば蝶ナット等の固定具ナット４９を通してから、押さえ部材４６の固定具受け穴５０に差し込む。この固定具ナット４９を上方に回して突っ張ることで、押さえ部材４６の下にある家具４２ｂを押さえる。押さえ部材４６と家具４２ｂの天板との間には滑り防止シート５１や粘弾性部材等を挟むと、がたつきを押さえよりしっかりと固定できる。
【００８０】  ただし、突っ張り固定具を突っ張るということは、耐震壁面ユニットを持ち上げ、天井を突っ張ることになるので、あまり強く突っ張り過ぎない方がよい。不安があれば、家具４２ｂの底面前側に差し込むクサビを併用するとよい。これにより家具の前方への移動を抑えれば、突っ張り固定具は、主に浮き上がろうとする家具を下向きに押さえればよく、家具の前方への移動を抑える摩擦力を生むために強く押さえつけておく必要はない。
図１（ｂ）は、突っ張り固定具４４ａを用いて、家具を固定する一つの実施形態の全体を示す斜視図である。
なお、図２６に示すように、例えば突っ張り固定具４４ａと棚受け１１ｆとを用いて小引き出し等の既成の小型家具１１ｇを耐震壁面ユニットに取り付けることもできる。
【００８１】  家具類の転倒防止装置は、図１（ｂ）や図２４（ａ）のように、耐震壁面ユニットの用途を主に家具の転倒防止として、背板や突っ張り部材の幅を小さくし、突っ張り用の長ネジＡ１２を１本とするなど、すっきりしたデザインとしてもよいし、あるいは、図３１に示すように、図１（ａ）の耐震壁面ユニット３ｅ等を用いて壁面ディスプレイ等とあわせて家具類の転倒防止を行うこともできる。
図２７（ａ）は、連続穴３６を利用せずに、固定部材４５ｂを背板４ｃに木ネジ３５ｅで取り付けるようにした突っ張り固定具４４ｂ、また、図２７（ｂ）は、２列の連続穴３６を用いて、固定部材４５ｃを背板４ｂに取り付けるようにした突っ張り固定具４４ｃである。
【００８２】  冷蔵庫の転倒および滑り防止には、図２８（ａ）に示すように、例えば耐震壁面ユニット３ｅに取り付けた、例えば突っ張り固定具４４ｃで天板を押さえるとともに、冷蔵庫背面にはベルトを通す取っ手があるので、ベルトや金具等でこの取っ手と突っ張り固定具４４ｃや背板４ｂとを連結するとよい。
また、冷蔵庫４２ｃは底面が正方形に近いため、地震時には側方に倒れようとする力も大きい。側方に倒れる可能性のある設置状況の場合には、冷蔵庫４２ｃの背面だけでなく側面も固定すればより安定する。壁に面していない側面には、図２２（ｃ）に示したＩ型断面の耐震壁面ユニット３ｈを用いるとよい。
あるいは、図２８（ｂ）に示すように、背板２枚の縦の辺を接続して水平断面をＬ型とし、剛性を高めた耐震壁面ユニット３ｊを冷蔵庫４２ｃの背面の２つの角に用いてもよい。
【００８３】  従来、一般的な住宅では、冷蔵庫のような重量物をしっかり固定する適切な方法がなく、冷蔵庫の転倒対策をしている家は極めて少ないといわれているが、これらの方法により、ほとんどの状況で冷蔵庫のしっかりした転倒および滑り対策が可能となる。
また、冷蔵庫にあるような取っ手がない重量物で、滑りの危険性がある場合には、図２９に示すように、例えば、突っ張り固定具４４ｃの押さえ部材４６の底面に取り付けた合成樹脂等の薄い接着板５２を、後から剥がせる両面テープ等で家具天板に接着してもよい。接着板５２を必要な対抗力の得られる面積とすることにより、そのせん断接着力により重量物にかかる大きな水平地震力にも対抗することができる。
【００８４】  また、家具の裏側に耐震壁面ユニットを設置するのが困難な場合には、図３０（ａ）あるいは（ｂ）に示すように、Ｔ型断面の耐震壁面ユニット３ｋや３ｌを家具の側面を挟むように設置して、突っ張り固定具４４ｄで家具の転倒を防止してもよい。
これには、家具の裏に設置するよりも設置が容易になるというメリットがある。特に、例えば重量のあるスチールキャビネット４２ｄが並んで設置してある場合など、キャビネットの裏に耐震壁面ユニットをセットするのは、キャビネットをいったんどかし、ユニットを設置してから、キャビネットを持ち上げて支持面受け板の上に載せるなどなかなか手間がかかる。しかし、耐震壁面ユニット３ｋや３ｌによれば、隣のキャビネットとの隙間を作れば設置が可能である。床側には、細長い形状の支持面受け板を設けるか、代わりに滑り止めシートを敷いてもよい。
また、このような場合、上記の接着板５２も併用するとよい。
なお、図３１には、各種の箱や棚を面的に取り付け、また、同時に家具の転倒を防止している活用事例を示している。
【符号の説明】
【００８５】※（  ）内は実施形態の特徴、または、逆に属性を示す。
１  天井（支持面）
２  床（支持面）
３ａ  耐震壁面ユニット（床側の突っ張り部材Ｂと支持面受け板を省略）
３ｂ  耐震壁面ユニット（床側の突っ張り部材Ｂを省略）
３ｃ  耐震壁面ユニット（床側の突っ張り部材Ｂと支持面受け板あり）
３ｄ  耐震壁面ユニット（背板継ぎ足し用部材あり）
３ｅ  耐震壁面ユニット（２列の連続穴あり）
３ｆ  耐震壁面ユニット（背板の幅が狭く、２列の連続穴あり、１本の長ネジＡ）
３ｇ  耐震壁面ユニット（背板が細く、１列の連続穴あり、１本の長ネジＡ）
３ｈ  耐震壁面ユニット（Ｉ型断面）
３ｉ  耐震壁面ユニット（背板が細く、連続穴なし）
３ｊ  耐震壁面ユニット（Ｌ型断面）
３ｋ  耐震壁面ユニット（Ｔ型断面、突っ張り部材Ａが背板と平行関係）
３ｌ  耐震壁面ユニット（Ｔ型断面、突っ張り部材Ａが背板と直行関係）
４ａ  背板
４ｂ  背板（２列の連続穴付き）
４ｃ  背板（背板が細く、連続穴なし）
４ｄ  背板（背板が細く、１列の連続穴付き）
５ａ  突っ張り装置
５ｂ  制限機能付き突っ張り装置
６ａ  突っ張り部材Ａ
６ｂ  突っ張り部材Ａ（幅が小さい）
７Ａａ  支持面受け板（天井側）
７Ａｂ  支持面受け板（天井側、両側張り出し）
７Ｂａ  支持面受け板（床側、直接背板に接続）
７Ｂｂ  支持面受け板（床側、突っ張り部材Ｂに接続）
７Ｂｃ  支持面受け板（床側、背板の表裏両側へ張り出し）
８ａ  突っ張り部材Ｂ（接続用長ネジの受け穴付き）
８ｂ  突っ張り部材Ｂ（長ネジＢとナットＢの受け穴付き）
８ｃ  突っ張り部材Ｂ（幅が小さい）
９  接続用長ネジ
１０ａ  受け穴（接続用長ネジが収まる）
１０ｂ  受け穴（長ネジＢとナットＢが収まる）
１１ａ  箱（木ネジ取付用、装着物）
１１ｂ  箱（連続穴取付用、装着物）
１１ｃ  棚板（連続穴取付用、装着物）
１１ｄ  棚受け（木ネジ取付用、装着物）
１１ｅ  棚柱（木ネジ取付用、装着物）
１１ｆ  棚受け（木ネジ取付用、装着物）
１１ｇ  小型家具（装着物）
１２  長ネジＡ
１３  ナットＡ
１４  バネ
１５  筒
１６  孔Ａ
１７  後から剥がせる両面テープＡ（通常の薄い後から剥がせる両面テープ）
１８  後から剥がせる両面テープＢ（スポンジ基材の後から剥がせる両面テープ）
１９  紙（半紙）
２０ａ、２０ｂ  壁紙（凸凹面の）
２１  ピン
２２  摩擦部材
２３  ヒンジ軸受け
２４  軸
２５  支持面受け板Ａ
２６  支持面受け板Ｂ
２７ａ〜２７ｃ  背板継ぎ足し用部材
２８  長ネジＢ
２９  孔Ｂ
３０  埋め込みナット（鬼目ナット）
３１  回転操作部材
３２  ナットＢ
３３  背板端部カバー
３４  背板端部巻き付け
３５ａ、３５ｂ、３５ｃ、３５ｄ、３５ｅ  木ネジ
３６  連続穴
３７ａ、３７ｂ、３７ｃ、３７ｄ  小ネジ
３８  埋め込みナット（鬼目ナット）
３９  小ネジ頭が入る孔
４０  木ネジを打つための部材
４１  被覆材
４２ａ、４２ｂ  家具
４２ｃ  冷蔵庫（家具）
４２ｄ  スチールキャビネット（家具）
４３  Ｌ型金具（家具転倒防止器具）
４４ａ  突っ張り固定具（１列連続穴用）
４４ｂ  突っ張り固定具（木ネジ用）
４４ｃ  突っ張り固定具（２列連続穴用）
４５ａ  固定部材（１列連続穴用）
４５ｂ  固定部材（木ネジ用）
４５ｃ  固定部材（２列連続穴用）
４６  押さえ部材
４７  固定具長ネジ
４８  固定具孔
４９  固定具ナット（蝶ナット）
５０  固定具受け穴
５１  滑り防止シート
５２  接着板
【要約】      （修正有）【課題】壁面に造り付け家具のような棚や箱等の家具を手軽に取り付けることができ、設置のために室内部材を大きく傷つけることなく、かつ、重いものを収納しても地震で転倒しない構造の耐震壁面ユニット、及び家具の転倒防止装置を提供する。【解決手段】棚や箱等の家具を装着するための背板を突っ張り装置５ｂで固定し、ユニットの上下端に合成樹脂製等の支持面受け板７Ａａ、７Ｂｂを設け、広い面積で天井や床に両面粘着テープなどにより接合させ、接合面のせん断抵抗力を向上させる。背板にネジの効く連続穴３６を設けることで、装着物、及び家具の固定を行い、家具の転倒防止装置とする。【選択図】図１【図１】
0005997332.tif 000002
【図２】
0005997332.tif 000003
【図３】
0005997332.tif 000004
【図４】
0005997332.tif 000005
【図５】
0005997332.tif 000006
【図６】
0005997332.tif 000007
【図７】
0005997332.tif 000008
【図８】
0005997332.tif 000009
【図９】
0005997332.tif 000010
【図１０】
0005997332.tif 000011
【図１１】
0005997332.tif 000012
【図１２】
0005997332.tif 000013
【図１３】
0005997332.tif 000014
【図１４】
0005997332.tif 000015
【図１５】
0005997332.tif 000016
【図１６】
0005997332.tif 000017
【図１７】
0005997332.tif 000018
【図１８】
0005997332.tif 000019
【図１９】
0005997332.tif 000020
【図２０】
0005997332.tif 000021
【図２１】
0005997332.tif 000022
【図２２】
0005997332.tif 000023
【図２３】
0005997332.tif 000024
【図２４】
0005997332.tif 000025
【図２５】
0005997332.tif 000026
【図２６】
0005997332.tif 000027
【図２７】
0005997332.tif 000028
【図２８】
0005997332.tif 000029
【図２９】
0005997332.tif 000030
【図３０】
0005997332.tif 000031
【図３１】
0005997332.tif 000032